(57)【特許請求の範囲】
【請求項１】
梁貫通スリーブの固定治具であって、
主軸と、
前記主軸に配置された係止具と、
前記係止具の周辺に配置され、前記主軸に対して概ね直角まで開き、前記梁貫通スリーブを内側から固定する複数の支持棒と、
前記主軸に配置され、前記主軸に対して直角方向の位置を固定する穴おさえ具と、
を備え、
前記支持棒の少なくとも１つは、その一端に、返しを設けることを特徴とする固定治具。
【請求項２】
前記複数の支持棒は少なくとも３本であり、前記支持棒には生地が取り付けられている請求項１に記載の固定治具。
【請求項３】
前記主軸は、前記穴おさえ具に対して前記主軸を軸方向に固定するための穴おさえ具留めを備える請求項１または２に記載の固定治具。
【請求項４】
請求項１の固定治具を使用したスリーブの固定方法。
【発明の詳細な説明】
【技術分野】
【０００１】
本発明は、梁貫通スリーブの固定方法及び固定治具に関する方法であり、特に、スリーブを正確かつ安定に固定するための固定方法および固定治具に関する。
【背景技術】
【０００２】
梁貫通スリーブ（以下、スリーブ）は、電線や水道管などのライフラインを通すための孔であり、当該スリーブを設置する際には、高精度の位置決めが要求されている。スリーブの取り付け場所によっては、数センチメートルのスリーブの位置ずれが施工上の不具合になり、スリーブを再設置するためにコンクリートを開け直すなどの再工事になることもある。
【０００３】
例えば、特許文献１には、スリーブ固定治具及び貫通孔の施工方法が開示されている。
【０００４】
特許文献１に記載された方法は、例えば、図９に示すように、鉄筋Ｒにスリーブ固定具１を設けることで、スリーブＳを精度よく位置決めするものである。しかし、固定具の位置決め精度は、鉄筋の設置位置や固定具１の取り付け位置に依存するため、例えば、鉄筋の設置位置がコンクリート打設時にずれてしまった場合には、スリーブの位置もずれることになる。
【先行技術文献】
【特許文献】
【０００５】
【特許文献１】特開２００２-４７７９６号公報
【発明の概要】
【発明が解決しようとする課題】
【０００６】
本発明は、上述した問題点を解決するものであり、本発明の一態様によれば、スリーブを精度よく位置決めする治具を提供することを解決課題とする。
【０００７】
本発明の別の一態様によれば、治具を使用した貫通孔を施工する方法を提供することを解決課題とする。
【課題を解決するための手段】
【０００８】
本発明の一態様によれば、主軸と、主軸に配置された係止具と、係止具の周辺に配置され、主軸に対して概ね直角まで開き、梁貫通スリーブを内側から固定する複数の支持棒と、主軸に配置され、主軸に対して直角方向の位置を固定する穴おさえ具とを備え、支持棒の少なくとも１つは、その一端に、返しを設けた梁貫通スリーブの固定治具が提供される。
【発明の効果】
【０００９】
本発明の一態様によれば、スリーブを精度よく固定することができる。
【００１０】
本発明の別の一態様によれば、コンクリート注入後のスリーブの位置ずれを抑えることができる。
【００１１】
本発明の他の目的、特徴及び利点は添付図面に関する以下の本発明の実施例の記載から明らかになるであろう。
【図面の簡単な説明】
【００１２】
【図１】本発明の一実施例による固定治具の概略図を示す。
【図２】本発明の一実施例による支持棒を示す。
【図３】本発明の一実施例による支持棒の返しを示す。
【図４】本発明の一実施例による穴おさえ具を示す。
【図５】本発明の別の実施例を示す。
【図６】本発明の更に別の実施例を示す。
【図７】本発明の更に別の実施例を示す。
【図８Ａ】本発明の一実施例による固定治具を用いたスリーブの固定方法の一工程を示す。
【図８Ｂ】本発明の一実施例による固定治具を用いたスリーブの固定方法の一工程を示す。
【図８Ｃ】本発明の一実施例による固定治具を用いたスリーブの固定方法の一工程を示す。
【図８Ｄ】本発明の一実施例による固定治具を用いたスリーブの固定方法の一工程を示す。
【図９】従来技術を示す。
【発明を実施するための形態】
【００１３】
図１は、本発明の一実施例による固定治具の概略図を示す。
【００１４】
本実施例の固定治具１００は、主軸１１０と、複数の支持棒１２０と、穴おさえ具１３０と、可動部１４０を備える。
【００１５】
主軸１１０は、設置するスリーブの概ね中心に配置される。
【００１６】
複数の支持棒１２０は、主軸１１０に対して開くことでスリーブの内径にほぼ内接することにより、スリーブのぶれを抑えて固定する。それぞれの支持棒の長さは、等しくてもよい。また、本実施例のようにスリーブを固定するという技術的効果の観点からは、少なくとも２本の支持棒があればよい。
【００１７】
なお、主軸１１０や支持棒１２０には、任意の材料を使用できるが、プラスチック、鉄やアルミニウムなど、ある程度の剛性を有した材料を用いてよい。
【００１８】
穴おさえ具１３０は、主軸１１０を型枠に通した後に、主軸１１０をスリーブの中心に固定するために用いる。なお、穴おさえ具１３０は、主軸１１０が軸方向に動くことを固定できるように構成されてもよい。なお、穴おさえ具１３０には、任意の材料が使用できるが、例えば、ゴムなど、ある程度の弾性を有した材料を用いてもよい。
【００１９】
可動部１４０は、支持棒１２０の可動域を決める。可動部１４０の更に具体的な構成例は、図２で示す。
【００２０】
図２（ａ）は、本発明の一実施例による可動部１４０の構成例を示す。
【００２１】
図２（ａ）に示す本実施例の可動部１４０は、係止具１４１と、可動軸１４２と、複数の溝１４３と、ストッパ１４４で構成される。係止具１４１は、円錐の上部が切断された形状をしている。別の実施例として、係止具１４１は、その他任意の形状でもよい。
【００２２】
係止具１４１の上部から側面にかけて、複数の溝１４３が形成されている。なお、溝１４３の数は、支持棒１２０の数に等しい若しくは多くてもよい。また、各溝１４３は、（主軸１１０が通る）中心軸に対して等角度になるように形成されてもよいが、異なる角度で配置されてもよい。
【００２３】
また、係止具１４１は、任意の材料が使用できるが、例えば、プラスチックやゴムなどのように、ある程度の弾性を有した材料を用いてもよい。当該材料を用いれば、通常の形態では、支持棒１２０は主軸１１０に対してある程度の角度αをなすが、人間の手などで支持棒全体を握ることによって、当該角度αを概ねゼロ度（主軸に対して概ね並行）にすることができる。これにより、後述するが、本実施例の固定治具が型枠の穴に入れやすくなり、型枠の穴に入れた後は、支持棒がスリーブ内で少し開くので、当該スリーブ内で支持棒を更に広げて固定することが容易になる。
【００２４】
係止具１４１の側面には、複数の溝１４３の上を通るように、可動軸１４２が設置されている。また、可動軸１４２は、任意の材料が使用できるが、例えば、針金のような、ある程度の剛性を有しつつ形状の加工が容易な材料を用いてもよい。
【００２５】
ストッパ１４４は、係止具１４１の上部に設置されており、ストッパの径は、係止具１４１との接地面の径よりも長い。本実施例のような可動部１４０を構成することにより、支持棒１２０が主軸１００に対して概ね直角まで開くと、支持棒１２０がストッパ１４０に当たるので、それ以上の開きを止めることができる。
【００２６】
支持棒１２０には、軸穴１２１が空いている。当該軸穴１２１が、可動軸１４２を通すように設置されることにより、支持棒１２０が可動軸１４２の周りを回転するように可動する。なお、軸穴１２１の形状は、丸型でもよく、可動軸１４２への取り付けが容易なカギ型でもよく、その他任意の形状でもよい。
【００２７】
なお、溝１４３は、図２（ｂ）に示すように、係止具１４１の上部から側面を通り下部にかけて形成するような構成でもよい。これにより、主軸１１０に対して、角度αが概ねゼロ度（主軸に対して概ね並行）から概ね直角までの任意の範囲で、支持棒が開く（可動する）ように構成できる。
【００２８】
図３は、支持棒の末端（主軸から離れた側の一端）に返し１２３が形成された実施例を示している。返し１２３は、主軸１２０に対して開くように形成される。開く角度βは、本実施例においては任意でよいが、図５に示すような、支持棒が二段階で固定できるような別の実施例においては、支持棒の開く角度に依存して、支持棒１２０が開きやすいように、返しの角度βが決まってもよい。
【００２９】
別の実施例として、返しを円弧状にしてもよく、更に好ましくは、図３（ｂ）に示すように、返し側の一端が少なくとも半円以上を形成するような円弧でもよい。また、返し１２３は、図８Ｄで示すような工程で使用できるものであれば、任意の形状を形成してもよい。
【００３０】
なお、返し１２３は、全ての支持棒に設けなくてもよく、任意の支持棒に設けてもよい。
【００３１】
図４は、本発明の一実施例による穴おさえ具１３０を示す。穴おさえ具１３０は、主軸１１０を型枠の穴に固定するための部材である。穴おさえ具１３０は、主軸１１０を型枠に通す穴と概ね同じ径の固定部１３１を有している。これにより、主軸１１０が横ずれする（軸方向に対して直角の方向に動く）ことを防ぐ。図４（ａ）に示すように、穴おさえ具１３０自身がスリーブの中に入り込まないように主軸が通る型枠の穴よりも大きな径を設けた押さえ部１３２が付加された構成でもよいが、図４（ｂ）に示すように、押さえ部１３２がなくてもよい。また、穴おさえ具１３０の表面１３３の形状は、型枠の穴の形に依存するので、円形でも多角形でもよい。
【００３２】
図５は、本発明の別の実施例を示す。図５（ａ）は、支持棒が、主軸に対して、概ね直角（９０度）まで開いているが、図５（ｂ）のように、角度αが所定の（１つまたは複数の）鋭角で支持棒が固定されるように構成されてもよい。更に、主軸１１０は、穴おさえ具１３０に対して主軸１００を軸方向（スリーブ内部へ向かう方向など）に固定するために、図５（ａ）のように支持棒１２０が主軸１１０に対して概ね直角で固定できるような穴おさえ具留め１８１や、支持棒１２０が主軸１１０に対して角度αで固定できるような図５（ｂ）のような穴おさえ具留め１８２を備えてもよい。ここで、穴おさえ具留め１８１、１８２は、主軸１１０の中に手動で押し込むことができるにように構成されてもよい。また、主軸１１０内部にバネを設けておき、穴おさえ具留め１８１、１８２が主軸１１０に対して押し込まれる力がなくなると、当該バネの力により主軸１１０の外側方向に突出するように構成されてもよい。そして、図５（ａ）（ｂ）のように、穴おさえ具留め１８１、１８２を用いて主軸１１０を軸方向に固定することによって、二段階（または図示しないが穴おさえ具留めの数に応じて複数段階）の角度で支持棒１２０が固定できれば、１つの固定治具で異なる内径φ１、φ２のスリーブ２１０、２２０に用いることができる。例えば、スリーブの内径は、７５、１００、１２５、１５０、１７５、２００ミリメートルなどが一般的な既製品として販売されているので、支持棒が、これら内径のいくつかを形成できるような角度αを設定してもよい。また、穴おさえ具留め１８１、１８２の別の実施例として、結束バンドなどの任意の留め具が主軸に固定できるように構成してもよい。このような実施例の場合は、任意の角度αで支持棒１２０を固定することができるので、１つの固定治具で複数の内径のスリーブに用いることができる。
【００３３】
図６は、本発明の別の実施例を示す。本実施例は、支持棒が主軸に対して概ね直角に開いているときに適用できる。本実施例においては、少なくとも４本の支持棒１２０を備えている。図６では４本の支持棒１２０を備えた実施例を示しているが、少なくとも３本の支持棒があれば、スリーブの外側のいずれの方向からの圧力に対しても安定してスリーブを固定し続ける技術的効果もある。
【００３４】
各支持棒１２０には、布などの平面の生地１５０が取りつけられている。このような生地１５０を設けることにより、将来、治具でスリーブを固定した後に、スリーブの外側にコンクリートが流し込まれると、隙間からスリーブ内部にコンクリートが流れ込むことを防ぐことができる。すなわち、スリーブ内に、流れ込んだコンクリートが固まって、スリーブ内に異物として残ることを防ぐことができる。
【００３５】
なお、本実施例の生地の材料は、任意でよいが、布やビニールなど、ある程度の柔軟性などがあればよい。
【００３６】
図７は、本実施例の更に別の実施例を示す。本実施例においては、支持棒１２０のおおよそ中央部から外側の位置１８０から主軸１１０の開閉具１７０へ支え棒１６０が取り付けられている。開閉具１７０を主軸１１０に沿って上下動させることにより、支え棒１６０を介して、支持棒１２０の開閉が容易になる。
【００３７】
図８Ａ−８Ｄは、本発明の固定治具の使用方法の一例を示す。本実施例では、返し１２３が支持棒１２０に取り付けられている固定治具の使用方法の一例を示す。
【００３８】
図８Ａは、主軸１１０が、型枠の穴を突き抜けて、スリーブの内部に入っている状態から、主軸１１０を型枠方向に引き戻している図を示す。
【００３９】
支持棒１２０の返し１２３が型枠に当たると、図８Ｂに示すように、主軸１１０を戻す力に対して、支持棒１２０が開く方向に動き出す。
【００４０】
図８Ｃは、穴おさえ具１３０を型枠に嵌め込み、主軸１００を固定する図を示す。
【００４１】
そして、図８Ｄに示すように、支持棒１２０が概ね直角に開いたところで、主軸１１０を引き出す方向に動かすことができなくなる。このとき、複数の支持棒１２０が作り出す径は、スリーブの内径に概ね等しくなっている。また、返し１２３が、スリーブの内側に当たるので、スリーブの固定を一層安定にする。スリーブを固定治具で固定した後は、コンクリートを流し込む。コンクリートが固まった後には、型枠３００を外す。型枠３００と一緒に、固定治具１００も外せる。すなわち、本実施例の固定治具１００を繰り返し使用することができる。
【００４２】
本実施例の固定治具を使用することにより、支持棒が、型枠の表面に沿って固定されるので、主軸は、型枠の面に対して直角方向になる。また、補強具を使用することなく、スリーブを固定することができる利点もある。
【００４３】
なお、本発明の一実施例による固定治具を用いた施工方法では、スリーブを両面から押さえるために、図８で示した本実施例の固定治具を２つ使用する。これにより、スリーブを正確にかつ安定に固定することができるようになる。
【００４４】
以上のように本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【符号の説明】
【００４５】
１００固定治具、１１０主軸、１２０支持棒、１２１軸穴、１２３返し、１３０穴おさえ具、１３１固定部、１３２押さえ部、１４０可動部、１４１係止具、１４２可動軸、１４３溝、１４４ストッパ、１５０生地、１６０支え棒、１７０開閉具、１８１穴おさえ具留め、１８２穴おさえ具留め、２１０スリーブ、２２０スリーブ、３００型枠
【要約】
【課題】スリーブを精度よく位置決めする治具を提供する。
【解決手段】主軸と、主軸に配置された係止具と、係止具の周辺に配置され、主軸に対して概ね直角まで開き、梁貫通スリーブを内側から固定する複数の支持棒と、主軸に配置され、主軸に対して直角方向の位置を固定する穴おさえ具とを備え、支持棒の少なくとも１つは、その一端に、返しを設ける梁貫通スリーブの固定治具が提供される。
【選択図】図１【図１】
0006010717.tif 000002
【図２】
0006010717.tif 000003
【図３】
0006010717.tif 000004
【図４】
0006010717.tif 000005
【図５】
0006010717.tif 000006
【図６】
0006010717.tif 000007
【図７】
0006010717.tif 000008
【図８Ａ】
0006010717.tif 000009
【図８Ｂ】
0006010717.tif 000010
【図８Ｃ】
0006010717.tif 000011
【図８Ｄ】
0006010717.tif 000012
【図９】
0006010717.tif 000013